(57)【要約】【課題】１つのキーに複数の文字や記号が割り当てられていても、１回の押下で入力文字などを確定させることができる。【解決手段】携帯端末のキーには複数のシンボルが割り当てられており、キーの表示色は所定のタイミングで順次変化し、キーの操作タイミングに基づいてシンボルを選択する。【選択図】図２
2008234474.tif 000002
【特許請求の範囲】
【請求項１】
キーには複数のシンボルが割り当てられており、
前記キーの表示色は所定のタイミングで順次変化し、
前記キーの操作タイミングに基づいてシンボルが選択されることを特徴とする携帯端末。
【請求項２】
キーバックライトの点灯パターンを周期的に変化させ、
キー押下タイミングにより入力を確定させることを特徴とする請求項１記載の携帯端末。
【請求項３】
キーバックライトの点灯パターンを周期的に変化させ、
キー押下を終了するタイミングにより入力を確定させることを特徴とする請求項１記載の携帯端末。
【請求項４】
各キー面に異なるシンボルが浮き出るように照射することを特徴とする請求項１から３のいずれか１項に記載の携帯端末。
【請求項５】
複数のキーを使って全体で模様を描くように点灯することを特徴とする請求項１から４のいずれか１項に記載の携帯端末。
【請求項６】
キーには複数のシンボルが割り当てられており、
前記キーの表示色は所定のタイミングで順次変化し、
前記キーの操作タイミングに基づいてシンボルを選択することを特徴とする携帯端末の操作方法。
【請求項７】
キーバックライトの点灯パターンを周期的に変化させ、
キー押下タイミングにより入力を確定させることを特徴とする請求項６記載の携帯端末の操作方法。
【請求項８】
キーバックライトの点灯パターンを周期的に変化させ、
キー押下を終了するタイミングにより入力を確定させることを特徴とする請求項６記載の携帯端末の操作方法。
【請求項９】
各キー面に異なるシンボルが浮き出るように照射することを特徴とする請求項６から８のいずれか１項に記載の携帯端末の操作方法。
【請求項１０】
複数のキーを使って全体で模様を描くように点灯することを特徴とする請求項６から９のいずれか１項に記載の携帯端末の操作方法。
【請求項１１】
コンピュータシステムに請求項１から５のいずれか１項に記載の機能を実現させることを特徴とするプログラム。
【発明の詳細な説明】
【技術分野】
【０００１】
本発明は、キー入力文字を時系列に自動的に切り替え可能な携帯端末に関する。
【背景技術】
【０００２】
携帯電話機などの携帯端末はキーの数が限られているために、１つのキーに複数の文字や記号を割り当てて使用することが一般的である。例えば、「２」キーに「Ａ」、「Ｂ」、「Ｃ」のアルファベット３文字が割り当てられている。
【０００３】
ここで、制御部を構成する文字データ切替管理部は、操作部を構成するキーに対してユーザーが行った操作を検出し、操作を検出したキーに複数のシンボルを割り当てていた場合、その操作が継続している時間に応じて順次、自動的に切り替えつつ、その操作によって入力するシンボルを表示部に表示させ、シンボルを切り替える一方では、その切り替えを行う前にシンボルの表示色を変更させて、その切り替えが行われることを事前にユーザーに対して通知することで、キー等の操作子を操作している時間によって複数のシンボルのなかで入力させるシンボルを選択する場合に、そのシンボルをユーザーが常に迅速、且つ容易に選択できる技術が提案されている（例えば、特許文献１参照）。
【特許文献１】特開２００４−０６２７３１号公報
【発明の開示】
【発明が解決しようとする課題】
【０００４】
しかしながら、従来の携帯端末では、キーを使用して文字入力する場合、複数の文字から１文字を選択するために、複数回キーを押下しなければならなかった。
【０００５】
本発明は、以上のような課題を解決するためになされたもので、１つのキーに複数の文字や記号が割り当てられていても、１回の押下で入力文字などを確定させることができるを目的とする。
【課題を解決するための手段】
【０００６】
請求項１記載の発明は、キーには複数のシンボルが割り当てられており、キーの表示色は所定のタイミングで順次変化し、キーの操作タイミングに基づいてシンボルが選択されることを特徴とする携帯端末である。
【０００７】
請求項２記載の発明は、請求項１記載の携帯端末において、キーバックライトの点灯パターンを周期的に変化させ、キー押下タイミングにより入力を確定させることを特徴とする。
【０００８】
請求項３記載の発明は、請求項１記載の携帯端末において、キーバックライトの点灯パターンを周期的に変化させ、キー押下を終了するタイミングにより入力を確定させることを特徴とする。
【０００９】
請求項４記載の発明は、請求項１から３のいずれか１項に記載の携帯端末において、各キー面に異なるシンボルが浮き出るように照射することを特徴とする。
【００１０】
請求項５記載の発明は、請求項１から４のいずれか１項に記載の携帯端末において、複数のキーを使って全体で模様を描くように点灯することを特徴とする。
【００１１】
請求項６記載の発明は、キーには複数のシンボルが割り当てられており、キーの表示色は所定のタイミングで順次変化し、キーの操作タイミングに基づいてシンボルを選択することを特徴とする携帯端末の操作方法である。
【００１２】
請求項７記載の発明は、請求項６記載の携帯端末の操作方法において、キーバックライトの点灯パターンを周期的に変化させ、キー押下タイミングにより入力を確定させることを特徴とする。
【００１３】
請求項８記載の発明は、請求項６記載の携帯端末の操作方法において、キーバックライトの点灯パターンを周期的に変化させ、キー押下を終了するタイミングにより入力を確定させることを特徴とする。
【００１４】
請求項９記載の発明は、請求項６から８のいずれか１項に記載の携帯端末の操作方法において、各キー面に異なるシンボルが浮き出るように照射することを特徴とする。
【００１５】
請求項１０記載の発明は、請求項６から９のいずれか１項に記載の携帯端末の操作方法において、複数のキーを使って全体で模様を描くように点灯することを特徴とする。
【００１６】
請求項１１記載の発明は、コンピュータシステムに請求項１から５のいずれか１項に記載の機能を実現させることを特徴とするプログラムである。
【発明の効果】
【００１７】
本発明によれば、１つのキーに複数の文字や記号が割り当てられていても、１回の押下で入力文字などを確定させることができるができる。
【発明を実施するための最良の形態】
【００１８】
以下、本発明の実施の形態について図面を参照して詳細に説明する。
【００１９】
図１は、本実施の形態における携帯端末の全体の構成図である。
図１で、本実施の形態の携帯端末は文字入力用のキーと、各キー面を内部から照射するキーバックライトを具備する。
【００２０】
文字入力時にその入力モードに応じてキーバックライトが一定周期で色を変えながら点灯する。
【００２１】
１つのキーに割り当てられた複数の文字や記号にキーバックライト色を対応させる。例えば、［赤］、［緑］、［青］の３つの色を用意し、「２」キーの「Ａ」を［赤］に、「Ｂ」を［緑］に、「Ｃ」を［青］に対応させる。
【００２２】
そして、ある色が点灯中にキーが押されたら、その色に対応付けられた文字・記号が入力できる。
【００２３】
キーバックライト色やその変化の周期、更に文字・記号との対応はユーザが自由に設定することができる。
【００２４】
なお、図１では一例として折り畳み型携帯電話機を示したが、形状などはこの限りではない。
【００２５】
次に、本実施の動作例を図２を使って説明する。
【００２６】
図２でキーバックライト色は点灯しているキーバックライトの色を表し、一定周期で変化している。
【００２７】
図２の例では一定周期で［赤］、［緑］、［青］を繰り返している。
【００２８】
キー押下はキーが押されたタイミングを表す。
【００２９】
入力文字はどの文字が入力されたものとするかを表し、図２の例では前述したキー「２」の例を表している。即ち、キーバックライト色が［赤］のタイミングで押された時は「Ａ」が入力されたものとしている。
【００３０】
また、キーバックライト色が［緑］、［青］に変化する間押下されていた場合は、押下開始タイミングでは［緑］であったことにより、「Ｂ」が入力されたものとしている。
【００３１】
上述の本実施の形態によれば、１つのキーに複数の文字や記号が割り当てられていても、１回の押下で入力文字などを確定させることができる。
【００３２】
次に、発明の他の実施の形態について説明する。
前述の実施の形態ではキーバックライトの色を変えるとしたが、点灯パターンが変化すれば良く、例えば、各キー面に異なる文字や記号が浮き出るように照射しても良いし、複数のキーを使って全体で模様を描くように点灯させても良い。
【００３３】
また、キーバックライトを変化させるだけでなく、表示部を使ってユーザに伝えることもできる。
【００３４】
更に、前述の実施の形態ではキーを押下開始するタイミングのキーバックライト色で判定していたが、押下終了するタイミング、即ち、キーを放すタイミングで判定しても良い。
【００３５】
この場合、表示部に入力しようとしている文字・記号を表示しても良い。例えば、キー「２」を押下すると表示部に「Ａ」、「Ｂ」、「Ｃ」が一定周期で表示され、キーを放したタイミングで表示されていた文字・記号が入力されたものとする。
【００３６】
なお、上述する各実施の形態は、本発明の好適な実施の形態であり、本発明の要旨を逸脱しない範囲内において種々変更実施が可能である。例えば、携帯端末の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００３７】
【図１】本発明の実施の形態に係る携帯電話機の外観を示す図である。
【図２】本発明の実施の形態の動作を説明するための図である。
【図１】
2008234474.tif 000003
【図２】
2008234474.tif 000004